【手続補正書】
【提出日】平成26年4月3日(2014.4.3)
【手続補正１】
【補正対象書類名】特許請求の範囲
【補正対象項目名】全文
【補正方法】変更
【補正の内容】
【特許請求の範囲】
【請求項１】
左目用画像及び右目用画像を含む３Ｄ画像を表示する画像表示装置と、前記３Ｄ画像を視るために用いられる３Ｄメガネとを備える画像表示システムにおいて、
前記画像表示装置は、
前記３Ｄ画像を表示する画像表示部と、
前記画像表示部によって表示した前記３Ｄ画像の左目用画像及び右目用画像の表示タイミングと前記３Ｄメガネとを同期させる同期信号を前記３Ｄメガネに送信する同期信号送信部と
を有し、
前記３Ｄメガネは、
前記３Ｄ画像の左目用画像と右目用画像とを透過させるシャッター部と、
前記同期信号の解析に用いられるプロトコルの情報であるプロトコル情報を記憶するプロトコル記憶部と、
前記同期信号を受信する同期信号受信部と、
前記プロトコル記憶部に記憶されている前記プロトコル情報を用いて前記同期信号受信部によって受信された前記同期信号を解析し、解析結果に基づいて前記シャッター部を駆動させるシャッター駆動部と、
前記プロトコル情報を受信するプロトコル受信部と、
前記プロトコル記憶部に記憶されている前記プロトコル情報を、前記プロトコル受信部によって受信された新たなプロトコル情報に更新するプロトコル更新部と
を有することを特徴とする画像表示システム。
【請求項２】
前記画像表示装置は、
前記プロトコル情報を前記３Ｄメガネに送信するプロトコル送信部を更に有することを特徴とする請求項１に記載の画像表示システム。
【請求項３】
前記画像表示装置は、
前記３Ｄメガネの前記プロトコル記憶部に前記プロトコル情報として記憶されているプロトコルを識別するプロトコルＩＤの送信を前記３Ｄメガネに要求する 
プロトコルＩＤ要求部と、
前記プロトコルＩＤ要求部による送信要求に応じて前記３Ｄメガネから受信した前記プロトコルＩＤに基づいて、前記プロトコル情報の送信の要否を判断する送信要否判断部とを更に有することを特徴とする請求項２に記載の画像表示システム。
【請求項４】
前記画像表示装置は、
前記プロトコル情報を退避させるために記憶するプロトコル退避部を備え、
前記プロトコル送信部は、
前記３Ｄメガネに記憶されている前記プロトコル情報を受信し、
前記プロトコル退避部は、
前記プロトコル送信部によって前記３Ｄメガネから受信したプロトコル情報を記憶することを特徴とする請求項２又は請求項３に記載の画像表示システム。
【請求項５】
前記画像表示装置は、
前記３Ｄメガネを識別する機器ＩＤの送信を前記３Ｄメガネに要求する機器ＩＤ要求部と、
前記機器ＩＤ要求部による送信要求に応じて前記３Ｄメガネから受信した前記機器ＩＤに基づいて、前記３Ｄメガネにおける前記同期信号の受信から前記シャッター部の駆動迄の遅延値の補正の要否を判断し、前記遅延値の補正量を決定する補正要否判断部と、
前記補正要否判断部によって決定された前記補正量を示す補正情報を前記３Ｄメガネに送信する補正情報送信部と
を有し、
前記３Ｄメガネは、
前記補正情報を受信する補正情報受信部と、
前記補正情報受信部によって受信した前記補正情報を基づいて前記遅延値を補正する遅延値補正部と
を有することを特徴とする請求項２乃至請求項４に記載の画像表示システム。
【請求項６】
左目用画像及び右目用画像を含む３Ｄ画像を表示する画像表示部と、
同期信号を、前記左目用画像と前記右目用画像とを透過させる３Ｄメガネに送信する同期信号送信部と、
前記３Ｄメガネが前記同期信号を解析する際に用いるプロトコルの情報であるプロトコル情報を、前記３Ｄメガネに送信するプロトコル送信部と
を備えることを特徴とする画像表示装置。
【請求項７】
左目用画像及び右目用画像を含む３Ｄ画像を視るために用いられる３Ｄメガネにおいて、
前記３Ｄ画像の左目用画像と右目用画像とを透過させるシャッター部と、
前記３Ｄ画像の左目用画像及び右目用画像の表示タイミングと前記シャッター部の駆動とを同期させる同期信号を受信する同期信号受信部と、
前記同期信号の解析に用いられるプロトコルの情報であるプロトコル情報を記憶するプロトコル記憶部と、
前記プロトコル記憶部に記憶されている前記プロトコル情報を用いて前記同期信号受信部によって受信された前記同期信号を解析し、解析結果に基づいて前記シャッター部を駆動させるシャッター駆動部と、
前記プロトコル情報を受信するプロトコル受信部と、
前記プロトコル記憶部に記憶されている前記プロトコル情報を、前記プロトコル受信部によって受信された新たなプロトコル情報に更新するプロトコル更新部と
を備えることを特徴とする３Ｄメガネ。
【請求項８】
左目用画像及び右目用画像を含む３Ｄ画像を表示する画像表示装置と、前記３Ｄ画像の左目用画像と右目用画像とを透過させるシャッター部を有する３Ｄメガネとを備える画像表示システムにおける画像表示方法であって、
前記画像表示装置の画像表示部が、前記３Ｄ画像を表示し、
前記画像表示装置の同期信号送信部が、前記画像表示部によって表示した前記３Ｄ画像の左目用画像及び右目用画像の表示タイミングと前記３Ｄメガネとを同期させる同期信号を前記３Ｄメガネに送信し、
前記３Ｄメガネのプロトコル記憶部が、前記同期信号の解析に用いられるプロトコルの情報であるプロトコル情報を記憶し、
前記３Ｄメガネの同期信号受信部が、前記同期信号を受信し、
前記３Ｄメガネのシャッター駆動部が、前記プロトコル記憶部に記憶されている前記プロトコル情報を用いて前記同期信号受信部によって受信された前記同期信号を解析し、解析結果に基づいて前記シャッター部を駆動させ、
前記３Ｄメガネのプロトコル受信部が、前記プロトコル情報を受信し、
前記３Ｄメガネのプロトコル更新部が、前記プロトコル記憶部に記憶されている前記プロトコル情報を、前記プロトコル受信部によって受信された新たなプロトコル情報に更新することを特徴とする画像表示方法。
【手続補正２】
【補正対象書類名】明細書
【補正対象項目名】００２２
【補正方法】変更
【補正の内容】
【００２２】
タイミング制御部１０４は、外部（例えば、パーソナルコンピューター、サーバー、放送局）、又は、画像制御部１０２から同期信号を取得する。画像制御部１０２は、外部から同期信号を取得した場合には、外部から取得した同期信号を、画像制御部１０２及び同期信号送信部１２１に出力する。また、タイミング制御部１０４は、画像制御部１０２から同期信号を取得した場合には、画像制御部１０２から取得した同期信号を、同期信号送信部１２１に出力する。
なお、同期信号送信部１２１に出力された同期信号は、同期信号送信部１２１により３Ｄメガネ２０に送信され、３Ｄメガネ２０においてシャッター駆動信号（後述）の生成に用いられる。
つまり、タイミング制御部１０４は、同期信号を、同期信号送信部１２１を介して３Ｄメガネ２０に送信することによって、３Ｄメガネ２０におけるシャッター部２４０の駆動を制御する（シャッター部２４０の駆動を表示中の３Ｄ画像に同期させるように制御する）。
【手続補正３】
【補正対象書類名】明細書
【補正対象項目名】００５６
【補正方法】変更
【補正の内容】
【００５６】
プロトコルＩＤを３Ｄメガネ２１に要求するべき旨の命令を取得したプロトコルＩＤ要求部３２２は、プロトコルＩＤの送信を３Ｄメガネ２１に要求する（ステップＳ３２）。
【手続補正４】
【補正対象書類名】明細書
【補正対象項目名】００６２
【補正方法】変更
【補正の内容】
【００６２】
一方、ステップＳ３６において、タイミング制御部３０４は、自身のプロトコルと、３Ｄメガネ２１のプロトコルが同一であると判断した場合（ステップＳ３６：Ｙｅｓ）、ステップＳ３８を実行せずに、プロトコル情報の更新に係る画像表示装置１１の処理は終了する。
【手続補正５】
【補正対象書類名】明細書
【補正対象項目名】００６８
【補正方法】変更
【補正の内容】
【００６８】
プロトコル記憶部５９０は、３Ｄメガネ２２に送信するプロトコル情報（本実施形態において「第１のプロトコル情報」という）を記憶した領域と、３Ｄメガネ２２に記憶されているプロトコル情報（本実施形態において「第２のプロトコル情報」という）を記憶するための領域とを有する。ここで「第１のプロトコル情報」は、画像表示装置１２のプロトコル（第１のプロトコル）に対応したプロトコル情報であるものとし、「第２のプロトコル情報」は、３Ｄメガネ２２のプロトコル（第２のプロトコル）に対応したプロトコル情報であるものとする。なお、画像表示装置１２の生産時（出荷時）には、プロトコル記憶部５９０には第１のプロトコル情報は記憶されているが、第２のプロトコル情報は記憶されていない。
【手続補正６】
【補正対象書類名】明細書
【補正対象項目名】００８０
【補正方法】変更
【補正の内容】
【００８０】
また、プロトコル更新部６８０は、第１の実施形態におけるプロトコル更新部２８０と同様、プロトコル送受信部６２３から第１のプロトコル情報を取得する。プロトコル更新部６８０は、プロトコル送受信部６２３から第１のプロトコル情報を取得した場合、プロトコル記憶部２９０に記憶されている第２のプロトコル情報を、プロトコル送受信部６２３から取得した第１のプロトコル情報に更新する。
【手続補正７】
【補正対象書類名】明細書
【補正対象項目名】００８６
【補正方法】変更
【補正の内容】
【００８６】
次いで、タイミング制御部５０４は、第１のプロトコル情報をプロトコル送受信部５２３に出力する。第１のプロトコル情報を取得したプロトコル送受信部５２３は、当該プロトコル情報を無線通信又は有線通信によって３Ｄメガネ２２に送信する（ステップＳ５８）。そして、プロトコル情報の更新に係る画像表示装置１２の処理は終了する。
【手続補正８】
【補正対象書類名】明細書
【補正対象項目名】００８８
【補正方法】変更
【補正の内容】
【００８８】
プロトコル送受信部６２３から第１のプロトコル情報を取得したプロトコル更新部６８０は、プロトコル記憶部２９０に記憶されている第２のプロトコル情報を、プロトコル送受信部６２３から取得した第１のプロトコル情報に更新する（ステップＳ６６）。そして、プロトコル情報の更新に係る３Ｄメガネ２２の処理は終了する。
【手続補正９】
【補正対象書類名】明細書
【補正対象項目名】００９０
【補正方法】変更
【補正の内容】
【００９０】
（第４の実施形態）
以下、本発明の第４の実施形態について図面を参照して詳細に説明する。図７は、本発明の第４の実施形態による画像表示システム４の機能ブロック図の一例である。
【手続補正１０】
【補正対象書類名】明細書
【補正対象項目名】００９２
【補正方法】変更
【補正の内容】
【００９２】
なお、第４の実施形態における画像表示装置１３が有する、画像制御部１０２、画像表示部１１０、同期信号送信部１２１、プロトコル送信部１２３及びプロトコル記憶部１９０は、第１の実施形態における画像表示装置１０が有する、画像制御部１０２、画像表示部１１０、同期信号送信部１２１、プロトコル送信部１２３及びプロトコル記憶部１９０と同様の機能であるため、説明を省略する。
【手続補正１１】
【補正対象書類名】明細書
【補正対象項目名】０１１９
【補正方法】変更
【補正の内容】
【０１１９】
なお、画像表示装置から３Ｄメガネ制御装置を分離させた構成とする場合、３Ｄメガネ制御装置と３Ｄメガネとから構成されるシステムを画像視聴システムと称し、画像視聴システムに画像表示装置を加えたシステムを画像表示システムと称してもよい。
図９は、本発明の第１の実施形態による画像表示システム１の画像表示装置１０から３Ｄメガネ制御装置３０を分離した例である。図９において、画像処理システム６は、画像視聴システム５及び画像表示装置１４から構成され、画像視聴システム５は、３Ｄメガネ制御装置３０及び３Ｄメガネ２０から構成されている。